(57)【要約】【課題】  ＬＥＤチップの導通不可が連鎖的に生じることを抑制可能なＬＥＤ照明灯を提供すること。【解決手段】  直列に接続された複数のＬＥＤチップ２２ａを各々が含む、互いに並列に接続された複数のＬＥＤユニット２と、複数のＬＥＤユニット２を収容するとともに、複数のＬＥＤユニット２からの光を拡散しつつ透過させる細長円筒形の透光カバーと、複数のＬＥＤユニット２の少なくともいずれかが不点灯となった場合に、不点灯となったＬＥＤユニット２以外のＬＥＤユニット２への電力供給を遮断する遮断手段としての制御部３５および内部用照度センサ４１と、を備える。【選択図】  図５
2015076265.tif 000002
【特許請求の範囲】
【請求項１】
直列に接続された複数のＬＥＤチップを各々が含む、互いに並列に接続された複数のＬＥＤユニットと、
上記複数のＬＥＤユニットを収容するとともに、上記複数のＬＥＤユニットからの光を拡散しつつ透過させる細長円筒形の透光カバーと、
上記複数のＬＥＤユニットの少なくともいずれかが不点灯となった場合に、不点灯となった上記ＬＥＤユニット以外の上記ＬＥＤユニットへの電力供給を遮断する遮断手段と、
を備えることを特徴とする、ＬＥＤ照明灯。
【請求項２】
上記各ＬＥＤユニットは、上記複数のＬＥＤチップと各別に並列に接続された複数の保護素子を含む請求項１に記載のＬＥＤ照明灯。
【請求項３】
上記保護素子は、追加のＬＥＤチップである請求項２に記載のＬＥＤ照明灯。
【請求項４】
上記遮断手段は、上記複数のＬＥＤチップからの光を受ける内部用照度センサを含む請求項１ないし３のいずれかに記載のＬＥＤ照明灯。
【請求項５】
上記内部用照度センサは、上記透光カバーの径方向内側に配置されている請求項４に記載のＬＥＤ照明灯。
【請求項６】
上記内部用照度センサは、上記透光カバーの長手方向端部寄りに配置されている請求項５に記載のＬＥＤ照明灯。
【請求項７】
上記内部用照度センサが搭載されたセンサ基板をさらに備えている請求項６に記載のＬＥＤ照明灯。
【請求項８】
上記センサ基板は、上記透光カバーの長手方向に対して直角に設けられている請求項７に記載のＬＥＤ照明灯。
【請求項９】
上記複数のＬＥＤユニットの発光状態を報知するための報知手段を有する請求項４ないし８のいずれかに記載のＬＥＤ照明灯。
【請求項１０】
上記報知手段は、赤色光を発する赤色ＬＥＤチップおよび緑色光を発する緑色ＬＥＤを含む請求項９に記載のＬＥＤ照明灯。
【請求項１１】
上記遮断手段は、上記複数のＬＥＤユニットが点灯された以降少なくとも１回、上記内部用照度センサの計測値と、あらかじめ設定した寿命しきい値とを比較することにより、上記複数のＬＥＤユニットの発光状態が寿命到来状態であると判断されると、上記報知手段を寿命報知状態におく請求項９または１０に記載のＬＥＤ照明灯。
【請求項１２】
上記遮断手段は、上記複数のＬＥＤユニットが点灯された以降少なくとも１回、上記内部用照度センサの計測値と、あらかじめ設定した注意しきい値とを比較することにより、上記複数のＬＥＤユニットの発光状態が注意状態であると判断されると、上記複数のＬＥＤユニットへの電力供給を遮断するとともに、上記報知手段を注意報知状態におく請求項１１に記載のＬＥＤ照明灯。
【請求項１３】
上記遮断手段は、上記複数のＬＥＤユニットが点灯された以降常時、上記内部用照度センサの計測値と、あらかじめ設定した平時しきい値とを比較することにより、上記複数のＬＥＤユニットの発光状態が警告状態であると判断されると、上記複数のＬＥＤユニットへの電力供給を遮断するとともに、上記報知手段を警告報知状態におく請求項１２に記載のＬＥＤ照明灯。
【請求項１４】
上記ＬＥＤユニットは、上記複数のＬＥＤチップを支持するＬＥＤ基板を有している請求項９または１０に記載のＬＥＤ照明灯。
【請求項１５】
上記内部用照度センサは、上記ＬＥＤ基板に対して上記複数のＬＥＤチップが支持されている側に配置されている請求項１４に記載のＬＥＤ照明灯。
【請求項１６】
上記報知手段は、上記ＬＥＤ基板に対して上記複数のＬＥＤチップが支持されている側とは反対側に配置されている請求項１５に記載のＬＥＤ照明灯。
【請求項１７】
上記透光カバー外の照度を検出する外部用照度センサを備える請求項９または１０に記載のＬＥＤ照明灯。
【請求項１８】
上記遮断手段は、上記複数のＬＥＤユニットが点灯された以降少なくとも１回、上記内部用照度センサの計測値と、あらかじめ設定した寿命しきい値とを比較することにより、上記複数のＬＥＤユニットの発光状態が寿命到来状態であると判断されると、上記報知手段を寿命報知状態におく請求項１７に記載のＬＥＤ照明灯。
【請求項１９】
上記遮断手段は、上記複数のＬＥＤユニットが点灯された以降少なくとも１回、上記内部用照度センサの計測値と、あらかじめ設定した注意しきい値とを比較することにより、上記複数のＬＥＤユニットの発光状態が注意状態であると判断されると、上記複数のＬＥＤユニットへの電力供給を遮断するとともに、上記報知手段を注意報知状態におく請求項１８に記載のＬＥＤ照明灯。
【請求項２０】
上記遮断手段は、上記複数のＬＥＤユニットが点灯された以降常時、上記外部用照度センサの計測値と、あらかじめ設定した昼夜しきい値とを比較することにより、上記外部用照度センサの計測値が相対的に大であるときに昼間モードをとり、上記外部用照度センサの計測値相対的に小であるときに夜間モードをとる請求項１９に記載のＬＥＤ照明灯。
【請求項２１】
上記遮断手段は、上記昼間モードにおいては、上記内部用照度センサの計測値と、あらかじめ設定した平時しきい値とを比較することにより、上記複数のＬＥＤユニットの発光状態が警告状態であると判断されると、上記複数のＬＥＤユニットへの電力供給を遮断するとともに、上記報知手段を警告報知状態におき、上記夜間モードにおいては、上記内部用照度センサの計測値と、あらかじめ設定した上記平時しきい値よりも小である夜間しきい値とを比較することにより、上記複数のＬＥＤユニットの発光状態が警告状態であると判断されると、上記複数のＬＥＤユニットへの電力供給を遮断するとともに、上記報知手段を警告報知状態におく請求項２０に記載のＬＥＤ照明灯。
【請求項２２】
上記遮断手段は、上記複数のＬＥＤユニットが点灯された以降少なくとも１回、上記内部用照度センサの計測値と、あらかじめ設定した寿命しきい値とを比較することにより、上記複数のＬＥＤユニットの発光状態が寿命到来状態であると判断されると、上記報知手段を寿命報知状態におく請求項に記載９または１０に記載のＬＥＤ照明灯。
【請求項２３】
上記遮断手段は、上記複数のＬＥＤユニットが点灯された以降少なくとも１回、上記内部用照度センサの計測値と、あらかじめ設定した注意しきい値とを比較することにより、上記複数のＬＥＤユニットの発光状態が注意状態であると判断されると、上記複数のＬＥＤユニットへの電力供給を減少するとともに、上記報知手段を注意報知状態におく請求項２２に記載のＬＥＤ照明灯。
【請求項２４】
上記遮断手段は、上記複数のＬＥＤユニットに各別に直列に接続された複数のヒューズを含む請求項１ないし３のいずれかに記載のＬＥＤ照明灯。
【請求項２５】
上記各ＬＥＤユニットを発光させる定格電流をＩｒ、上記複数のＬＥＤユニットの個数をｎとした場合、上記ヒューズの定格遮断電流Ｉｃは、Ｉｒ＜Ｉｃ＜Ｉｒ（ｎ／（ｎ−ｍ））（ただし、ｍは、１≦ｍ＜ｎの整数）である、請求項２４に記載のＬＥＤ照明灯。
【発明の詳細な説明】
【技術分野】
【０００１】
本発明は、ＬＥＤ照明灯に関する。
【背景技術】
【０００２】
蛍光灯の代替製品として、ＬＥＤチップを光源として用いたＬＥＤ照明灯が提案されている。特許文献１には、いわゆる直管形蛍光灯の代替製品となるＬＥＤ照明灯が開示されている。このＬＥＤ照明灯においては、細長い円筒形の透光カバー内に、複数のＬＥＤチップが収容されている。これらのＬＥＤチップは、互いに直列に接続された所定個数によって各々が構成される複数組が、並列に接続された構成とされている。
【０００３】
従前の直管形蛍光灯は、たとえば商用の１００Ｖ交流電力によって点灯する。一方、ＬＥＤチップは、直流電力によって点灯する。このため、上記ＬＥＤ照明灯は、交流電力を直流電力に変換（以下、ＡＣ／ＤＣ変換）する電源部を備える必要がある。ＡＣ／ＤＣ変換には、複数の電子部品が用いられる。また、ＬＥＤチップを適切に点灯させるには、ＡＣ／ＤＣ変換機能に加えて、定電流制御を行うことが好ましい。
【０００４】
あるＬＥＤチップが何らかの理由で導通不可となると、このＬＥＤチップを含む組全体が不点灯となる。上記定電流制御がなされている場合、この不点灯となった組に流れるべき電流が、他の組のＬＥＤチップへと供給される。このため、これらの他の組のＬＥＤチップは、過剰な電流が供給された状態で点灯することとなる。このようなことでは、さらに別のＬＥＤチップが導通不可の状態となり、複数のＬＥＤチップの導通不可が連鎖的に生じるおそれがあった。
【先行技術文献】
【特許文献】
【０００５】
【特許文献１】特開２０１３−１１４９２３号公報
【発明の概要】
【発明が解決しようとする課題】
【０００６】
本発明は、上記した事情のもとで考え出されたものであって、ＬＥＤチップの導通不可が連鎖的に生じることを抑制可能なＬＥＤ照明灯を提供することをその課題とする。
【課題を解決するための手段】
【０００７】
本発明によって提供されるＬＥＤ照明灯は、直列に接続された複数のＬＥＤチップを各々が含む、互いに並列に接続された複数のＬＥＤユニットと、上記複数のＬＥＤユニットを収容するとともに、上記複数のＬＥＤユニットからの光を拡散しつつ透過させる細長円筒形の透光カバーと、上記複数のＬＥＤユニットの少なくともいずれかが不点灯となった場合に、不点灯となった上記ＬＥＤユニット以外の上記ＬＥＤユニットへの電力供給を遮断する遮断手段と、を備えることを特徴としている。
【０００８】
本発明の好ましい実施の形態においては、上記各ＬＥＤユニットは、上記複数のＬＥＤチップと各別に並列に接続された複数の保護素子を含む。
【０００９】
本発明の好ましい実施の形態においては、上記保護素子は、追加のＬＥＤチップである。
【００１０】
本発明の好ましい実施の形態においては、上記遮断手段は、上記複数のＬＥＤチップからの光を受ける内部用照度センサを含む。
【００１１】
本発明の好ましい実施の形態においては、上記内部用照度センサは、上記透光カバーの径方向内側に配置されている。
【００１２】
本発明の好ましい実施の形態においては、上記内部用照度センサは、上記透光カバーの長手方向端部寄りに配置されている。
【００１３】
本発明の好ましい実施の形態においては、上記内部用照度センサが搭載されたセンサ基板をさらに備えている。
【００１４】
本発明の好ましい実施の形態においては、上記センサ基板は、上記透光カバーの長手方向に対して直角に設けられている。
【００１５】
本発明の好ましい実施の形態においては、上記複数のＬＥＤユニットの発光状態を報知するための報知手段を有する。
【００１６】
本発明の好ましい実施の形態においては、上記報知手段は、赤色光を発する赤色ＬＥＤチップおよび緑色光を発する緑色ＬＥＤを含む。
【００１７】
本発明の好ましい実施の形態においては、上記遮断手段は、上記複数のＬＥＤユニットが点灯された以降少なくとも１回、上記内部用照度センサの計測値と、あらかじめ設定した寿命しきい値とを比較することにより、上記複数のＬＥＤユニットの発光状態が寿命到来状態であると判断されると、上記報知手段を寿命報知状態におく。
【００１８】
本発明の好ましい実施の形態においては、上記遮断手段は、上記複数のＬＥＤユニットが点灯された以降少なくとも１回、上記内部用照度センサの計測値と、あらかじめ設定した注意しきい値とを比較することにより、上記複数のＬＥＤユニットの発光状態が注意状態であると判断されると、上記複数のＬＥＤユニットへの電力供給を遮断するとともに、上記報知手段を注意報知状態におく。
【００１９】
本発明の好ましい実施の形態においては、上記遮断手段は、上記複数のＬＥＤユニットが点灯された以降常時、上記内部用照度センサの計測値と、あらかじめ設定した平時しきい値とを比較することにより、上記複数のＬＥＤユニットの発光状態が警告状態であると判断されると、上記複数のＬＥＤユニットへの電力供給を遮断するとともに、上記報知手段を警告報知状態におく。
【００２０】
本発明の好ましい実施の形態においては、上記ＬＥＤユニットは、上記複数のＬＥＤチップを支持するＬＥＤ基板を有している。
【００２１】
本発明の好ましい実施の形態においては、上記内部用照度センサは、上記ＬＥＤ基板に対して上記複数のＬＥＤチップが支持されている側に配置されている。
【００２２】
本発明の好ましい実施の形態においては、上記報知手段は、上記ＬＥＤ基板に対して上記複数のＬＥＤチップが支持されている側とは反対側に配置されている。
【００２３】
本発明の好ましい実施の形態においては、上記透光カバー外の照度を検出する外部用照度センサを備える。
【００２４】
本発明の好ましい実施の形態においては、上記遮断手段は、上記複数のＬＥＤユニットが点灯された以降少なくとも１回、上記内部用照度センサの計測値と、あらかじめ設定した寿命しきい値とを比較することにより、上記複数のＬＥＤユニットの発光状態が寿命到来状態であると判断されると、上記報知手段を寿命報知状態におく。
【００２５】
本発明の好ましい実施の形態においては、上記遮断手段は、上記複数のＬＥＤユニットが点灯された以降少なくとも１回、上記内部用照度センサの計測値と、あらかじめ設定した注意しきい値とを比較することにより、上記複数のＬＥＤユニットの発光状態が注意状態であると判断されると、上記複数のＬＥＤユニットへの電力供給を遮断するとともに、上記報知手段を注意報知状態におく。
【００２６】
本発明の好ましい実施の形態においては、上記遮断手段は、上記複数のＬＥＤユニットが点灯された以降常時、上記外部用照度センサの計測値と、あらかじめ設定した昼夜しきい値とを比較することにより、上記外部用照度センサの計測値が相対的に大であるときに昼間モードをとり、上記外部用照度センサの計測値相対的に小であるときに夜間モードをとる。
【００２７】
本発明の好ましい実施の形態においては、上記遮断手段は、上記昼間モードにおいては、上記内部用照度センサの計測値と、あらかじめ設定した平時しきい値とを比較することにより、上記複数のＬＥＤユニットの発光状態が警告状態であると判断されると、上記複数のＬＥＤユニットへの電力供給を遮断するとともに、上記報知手段を警告報知状態におき、上記夜間モードにおいては、上記内部用照度センサの計測値と、あらかじめ設定した上記平時しきい値よりも小である夜間しきい値とを比較することにより、上記複数のＬＥＤユニットの発光状態が警告状態であると判断されると、上記複数のＬＥＤユニットへの電力供給を遮断するとともに、上記報知手段を警告報知状態におく。
【００２８】
本発明の好ましい実施の形態においては、上記遮断手段は、上記複数のＬＥＤユニットが点灯された以降少なくとも１回、上記内部用照度センサの計測値と、あらかじめ設定した寿命しきい値とを比較することにより、上記複数のＬＥＤユニットの発光状態が寿命到来状態であると判断されると、上記報知手段を寿命報知状態におく。
【００２９】
本発明の好ましい実施の形態においては、上記遮断手段は、上記複数のＬＥＤユニットが点灯された以降少なくとも１回、上記内部用照度センサの計測値と、あらかじめ設定した注意しきい値とを比較することにより、上記複数のＬＥＤユニットの発光状態が注意状態であると判断されると、上記複数のＬＥＤユニットへの電力供給を減少するとともに、上記報知手段を注意報知状態におく。
【００３０】
本発明の好ましい実施の形態においては、上記遮断手段は、上記複数のＬＥＤユニットに各別に直列に接続された複数のヒューズを含む。
【００３１】
本発明の好ましい実施の形態においては、上記各ＬＥＤユニットを発光させる定格電流をＩｒ、上記複数のＬＥＤユニットの個数をｎとした場合、上記ヒューズの定格遮断電流Ｉｃは、Ｉｒ＜Ｉｃ＜Ｉｒ（ｎ／（ｎ−ｍ））（ただし、ｍは、１≦ｍ＜ｎの整数）である。
【発明の効果】
【００３２】
本発明によれば、上記遮断手段によって複数のＬＥＤチップが連鎖的に導通不可となることを抑制することができる。
【００３３】
本発明のその他の特徴および利点は、添付図面を参照して以下に行う詳細な説明によって、より明らかとなろう。
【図面の簡単な説明】
【００３４】
【図１】本発明の第一実施形態に基づくＬＥＤ照明灯を示す一部切断正面図である。
【図２】図１のＬＥＤ照明灯を示す要部拡大断面図である。
【図３】図１のＬＥＤ照明灯のＬＥＤモジュールを示す断面図である。
【図４】図１のＬＥＤ照明灯のＬＥＤユニットを示す平面図である。
【図５】図１のＬＥＤ照明灯を示すシステム構成図である。
【図６】図１のＬＥＤ照明灯の点灯制御を示すフローチャートである。
【図７】本発明の第二実施形態に基づくＬＥＤ照明灯の点灯制御を示すフローチャートである。
【図８】本発明の第三実施形態に基づくＬＥＤ照明灯を示す要部拡大断面図である。
【図９】図８のＬＥＤ照明灯を示すシステム構成図である。
【図１０】図８のＬＥＤ照明灯の点灯制御を示すフローチャートである。
【図１１】本発明の第三実施形態に基づくＬＥＤ照明灯を示すシステム構成図である。
【発明を実施するための形態】
【００３５】
以下、本発明の好ましい実施の形態につき、図面を参照して具体的に説明する。
【００３６】
図１、図２および図５は、本発明の第一実施形態に基づくＬＥＤ照明灯を示している。本実施形態のＬＥＤ照明灯Ａ１は、支持部材１、複数のＬＥＤユニット２、電源部３、透光カバー５、口金６、報知ＬＥＤモジュール２８および内部用照度センサ４１を備えている。ＬＥＤ照明灯Ａ１は、直管形蛍光灯の代替品として用いられるものであり、たとえば天井に設置された直管形蛍光灯用の給電部に装着される。図１は、ＬＥＤ照明灯Ａ１の正面図であり、理解の便宜上、透光カバー５の一部を切断している。図２は、ＬＥＤ照明灯Ａ１の要部拡大断面図である。図５は、ＬＥＤ照明灯Ａ１のシステム構成図である。なお、ｚ方向は、透光カバー５の軸方向であり、ｘ方向は、透光カバー５の長手方向である。
【００３７】
支持部材１は、複数のＬＥＤユニット２を支持するためのものであり、本実施形態においては、さらに電源部３を支持していてもよい。支持部材１は、たとえばアルミからなり、ＬＥＤユニット２から発せられた熱を逃がす機能を果たす。支持部材１は、ｘ方向を長手方向とする細長状である。なお、支持部材１は、たとえばアルミを対象材とした押出成形によって形成可能であり、この場合、断面形状は一定である。
【００３８】
複数のＬＥＤユニット２は、各々がＬＥＤ基板２１、複数のＬＥＤモジュール２２および複数のＬＥＤモジュール２３からなる。図４は、複数のＬＥＤユニット２のみを示す平面図である。本実施形態においては、４つのＬＥＤユニット２が備えられており、ｘ方向に沿って配列されている。
【００３９】
ＬＥＤ基板２１は、複数のＬＥＤモジュール２２および複数のＬＥＤモジュール２３が搭載されるものである。ＬＥＤ基板２１は、たとえばセラミックまたはガラスエポキシ樹脂などの絶縁材料からなる基材および配線パターン（図示略）からなる。ＬＥＤ基板２１は、ｘ方向を長手方向としｙ方向を幅方向とする略長矩形状である。本実施形態においては、ＬＥＤ基板２１が支持部材１にたとえば接着テープ（図示略）によって接合されている。
【００４０】
複数のＬＥＤモジュール２２および複数のＬＥＤモジュール２３は、ＬＥＤ基板２１にｘ方向に沿って交互に一列に搭載されている。ＬＥＤモジュール２２とＬＥＤモジュール２３とは、同様の構成とされている。図３は、ＬＥＤモジュール２２を示す断面図である。本好に示すように、ＬＥＤモジュール２２は、ＬＥＤチップ２２ａ、リード２２ｂ、ケース２２ｃおよび封止樹脂２２ｄを有する。ＬＥＤチップ２２ａは、たとえば青色光を発する。リード２２ｂは、ＬＥＤチップ２２ａを支持しており、またＬＥＤチップ２２ａへの導通経路を形成している。リード２２ｂは、たとえばＣｕからなる。ケース２２ｃは、リード２２ｂの少なくとも一部を覆い、かつＬＥＤチップ２２ａを囲む枠状に形成されており、たとえば白色のエポキシ樹脂からなる。封止樹脂２２ｄは、ＬＥＤチップ２２ａを覆っており、ケース２２ｃによって囲まれた領域に充填されている。封止樹脂２２ｄは、たとえば透明なエポキシ樹脂に蛍光材料が混入された材質からなる。この蛍光材料は、ＬＥＤチップ２２ａからの青色光によって励起されることにより、黄色光を発する。あるいは、ＬＥＤチップ２２ａからの青色光によって励起されることにより、赤色光を発する蛍光材料と緑色光を発する蛍光材料とを用いてもよい。このような構成により、ＬＥＤモジュール２２からは、たとえば昼光色などの白色、あるいは電球色などが発せられる。
【００４１】
ＬＥＤモジュール２３においては、ＬＥＤチップ２２ａに代えてＬＥＤチップ２３ａを備える点が、ＬＥＤモジュール２２と異なる。ＬＥＤチップ２３ａは、本発明で言う追加のＬＥＤチップであり、本発明で言う保護素子の一例に相当する。ＬＥＤチップ２３ａは、並列に接続されたＬＥＤチップ２２ａが何らかの理由により導通不可となり不点灯となった場合であっても、通電を継続する機能を果たしうることから、本発明で言う保護素子に位置づけられる。なお、ＬＥＤチップ２２ａに対してＬＥＤチップ２３ａを保護素子と位置づけることは理解の便宜であり、ＬＥＤチップ２２ａよりも先にＬＥＤチップ２３ａが導通不可となった場合は、ＬＥＤチップ２２ａがＬＥＤチップ２３ａに対する保護素子であるといえる。
【００４２】
図５に示すように、各ＬＥＤユニット２は、各々が１つのＬＥＤモジュール２２(ＬＥＤチップ２２ａ)と１つのＬＥＤモジュール２３（ＬＥＤチップ２３ａ）とからなり、かつ互いに直列に接続された複数対のＬＥＤモジュール２２（ＬＥＤチップ２２ａ）およびＬＥＤモジュール２３（ＬＥＤチップ２３ａ）を含んでいる。各対のＬＥＤモジュール２２（ＬＥＤチップ２２ａ）およびＬＥＤモジュール２３（ＬＥＤチップ２３ａ）は互いに並列に接続されている。そして、複数のＬＥＤユニット２は、互いに並列に接続されている。本実施形態においては、各ＬＥＤユニット２は、１２個ずつのＬＥＤモジュール２２（ＬＥＤチップ２２ａ）およびＬＥＤモジュール２３（ＬＥＤチップ２３ａ）を備えている。また、ＬＥＤ照明灯Ａ１は、４つのＬＥＤユニット２を備えている。
【００４３】
電源部３は、ＥＭＣ対策回路３１、ＡＣ／ＤＣ変換回路３２、ＤＣ／ＤＣ変換回路３３、定電流回路３４および制御部３５を備えている。ＥＭＣ対策回路３１は、たとえば商用の交流１００Ｖ電源であるＡＣ電源から受けた交流電力に対して、たとえば高周波ノイズの侵入および漏洩を防止するＥＭＣ対策を施す回路である。ＡＣ／ＤＣ変換回路３２は、商用の１００Ｖ交流電力を、ＬＥＤチップ２２ａおよびＬＥＤチップ２３ａを点灯させるのに適した電圧の直流電力に変換する回路である。ＤＣ／ＤＣ変換回路３３は、制御部３５、報知ＬＥＤモジュール２８および４１などの動作に適した直流電力を生成する回路である。制御部３５は、後述する内部用照度センサ４１を用いたＬＥＤユニット２の点灯制御を行う。
【００４４】
透光カバー５は、ｘ方向に長く延びる略円筒形状であり、たとえば、塩化水銀などの拡散材を添加された透明なポリカーボネート樹脂により形成されている。透光カバー５は、ＬＥＤ発光部２からの光を拡散しつつ透過する。
【００４５】
口金６は、透光カバー５の両端に取り付けられている。口金６は、天井に取り付けられた給電部に対してＬＥＤ照明灯Ａ１を取り付けるとともに、電源部３へと交流電力を導く経路となる。
【００４６】
報知ＬＥＤモジュール２８は、ＬＥＤ照明灯Ａ１の状態を使用者に報知するためのものであり、本発明で言う報知手段に相当する。報知ＬＥＤモジュール２８は、ＬＥＤモジュール２２およびＬＥＤモジュール２３と類似の構成とされているが、ＬＥＤチップ２２ａおよびＬＥＤチップ２３ａに相当する構成要素として、たとえば赤色光を発する赤色ＬＥＤチップおよび緑色光を発する緑色ＬＥＤチップ（いずれも図示略）を具備している。
【００４７】
内部用照度センサ４１は、ＬＥＤ照明灯Ａ１内における照度を測定するためのものである。内部用照度センサ４１は、透光カバー５のｚ方向内方に配置されており、ｘ方向において透光カバー５の一端寄りに配置されている。なお、電源部３の制御部３５および内部用照度センサ４１は、本発明で言う遮断手段を構成している。
【００４８】
本実施形態においては、報知ＬＥＤモジュール２８および内部用照度センサ４１は、センサ基板４０に搭載されている。センサ基板４０は、たとえばガラスエポキシ樹脂からなるプリント配線基板である。センサ基板４０は、ｘ方向に直角な姿勢で透光カバー５の一端寄りに配置されており、口金６に支持されていてもよい。報知ＬＥＤモジュール２８および内部用照度センサ４１は、いずれも４０のうちＬＥＤユニット２側を向く面に搭載されている。ｚ方向においては、内部用照度センサ４１がＬＥＤ基板２１に対してＬＥＤユニット２が配置された側に配置されており、報知ＬＥＤモジュール２８がＬＥＤ基板２１に対してＬＥＤユニット２とは反対側に配置されている。このような配置により、内部用照度センサ４１は、ＬＥＤユニット２から発せられた光を受け、その位置における照度を測定する。報知ＬＥＤモジュール２８は、上記赤色ＬＥＤチップのみを点灯させた場合には赤色光を、上記赤色ＬＥＤおよび上記緑色ＬＥＤの双方を点灯させた場合にはオレンジ色光を、透光カバー５のうちＬＥＤユニット２とは反対側の部分を透して外部に出射する。
【００４９】
次に、ＬＥＤ照明灯Ａ１の点灯制御について、図６を参照しつつ以下に説明する。
【００５０】
まず、天井の給電部にＬＥＤ照明灯Ａ１が取り付けられた状態で、たとえば使用者が主電源をＯＮすることにより、ＬＥＤ照明灯Ａ１への交流電力の供給が開始される（ステップＳ１０）。次いで、内部用照度センサ４１がＯＮとなり（ステップＳ１１）、複数のＬＥＤユニット２がＯＮとなる（ステップＳ１２）。本実施形態においては、図５に示すように、ＤＣ／ＤＣ変換回路３３からの直流電力が制御部３５を介して内部用照度センサ４１に供給されるが、これは一例であり、ＤＣ／ＤＣ変換回路３３から直接内部用照度センサ４１に供給されるなど別形態であってもよい。複数のＬＥＤユニット２には、定電流回路３４から定電流制御された直流電力が供給される。本実施形態においては、ＬＥＤチップ２２ａおよびＬＥＤチップ２３ａのそれぞれに供給される電流値が３８ｍＡ程度であり、１つのＬＥＤユニット２には、７６ｍＡ程度の電流が供給され、４つのＬＥＤユニット２には、３０４ｍＡ程度の電流が定電流制御されることにより供給される。
【００５１】
次いで、図６に示すように、制御部３５は、内部用照度センサ４１の測定値ＥＩと寿命しきい値ＥＬとを比較する（ステップＳ１３）。寿命しきい値ＥＬは、あらかじめ定められ、メモリ（図示略）などに記憶されたしきい値である。寿命しきい値ＥＬは、すべてのＬＥＤユニット２が導通不可とならずに点灯している状態で、たとえば経年変化などによって発光効率が低下した場合に、内部用照度センサ４１においてあるべき照度に対応する値が設定される。たとえば、製造直後のＬＥＤ照明灯Ａ１での内部用照度センサ４１による測定値ＥＩを１００％とした場合、寿命しきい値ＥＬは、８０％程度に設定される。この値は、後述する注意しきい値ＥＡよりも大である。
【００５２】
測定値ＥＩと寿命しきい値ＥＬとの比較、たとえば、測定値ＥＩが寿命しきい値ＥＬ以上であるかの判定がＮｏである場合（ステップＳ１３：Ｎｏ）、制御部３５は、報知ＬＥＤモジュール２８を赤色に点灯させ（ステップＳ１４）、ステップＳ１５に進む。一方、測定値ＥＩが寿命しきい値ＥＬ以上であるかの判定がＹｅｓである場合（ステップＳ１３：Ｙｅｓ）、報知ＬＥＤモジュール２８を点灯させることなく、ステップＳ１５に進む。本実施形態においては、ステップＳ１３は、ＬＥＤ照明灯Ａ１の点灯開始直後に１回のみ実行されるが、ステップＳ１３を適宜複数回実行してもよい。
【００５３】
次いで、制御部３５は、内部用照度センサ４１の測定値ＥＩと注意しきい値ＥＡとを比較する（ステップＳ１５）。注意しきい値ＥＡは、あらかじめ定められ、メモリ（図示略）などに記憶されたしきい値である。注意しきい値ＥＡは、所定個数のＬＥＤユニット２が導通不可となり不点灯となった場合に、内部用照度センサ４１においてあるべき照度に対応する値が設定される。たとえば、製造直後のＬＥＤ照明灯Ａ１での内部用照度センサ４１による測定値ＥＩを１００％とした場合、注意しきい値ＥＡは、１つのＬＥＤユニット２が不点灯となった場合に相当する７５％程度に設定される。この値は、寿命しきい値ＥＬよりも小であり、後述する平時警告しきい値ＥＷ１よりも大である。
【００５４】
測定値ＥＩと注意しきい値ＥＡとの比較、たとえば、測定値ＥＩが注意しきい値ＥＡ以上であるかの判定がＮｏである場合（ステップＳ１５：Ｎｏ）、制御部３５は、複数のＬＥＤユニット２への電流供給を遮断し（ステップＳ１６）、報知ＬＥＤモジュール２８をオレンジ色に点灯させる（ステップＳ１７）。一方、測定値ＥＩが注意しきい値ＥＡ以上であるかの判定がＹｅｓである場合（ステップＳ１５：Ｙｅｓ）、報知ＬＥＤモジュール２８の状態を維持したまま、ステップＳ１８に進む。本実施形態においては、ステップＳ１５は、ＬＥＤ照明灯Ａ１の点灯開始直後に１回のみ実行されるが、ステップＳ１５を適宜複数回実行してもよい。
【００５５】
次いで、制御部３５は、内部用照度センサ４１の測定値ＥＩと平時警告しきい値ＥＷ１とを比較する（ステップＳ１８）。平時警告しきい値ＥＷ１は、あらかじめ定められ、メモリ（図示略）などに記憶されたしきい値である。平時警告しきい値ＥＷ１は、所定個数のＬＥＤユニット２が導通不可となり不点灯となった場合に、内部用照度センサ４１においてあるべき照度に対応する値が設定される。ここでいう所定個数は、注意しきい値ＥＡを設定する際の所定個数よりも大であり、本実施形態においては、２個と想定される。そして、製造直後のＬＥＤ照明灯Ａ１での内部用照度センサ４１による測定値ＥＩを１００％とした場合、平時警告しきい値ＥＷ１は、２つのＬＥＤユニット２が不点灯となった場合に相当する５０％程度に設定される。
【００５６】
測定値ＥＩと平時警告しきい値ＥＷ１との比較、たとえば、測定値ＥＩが平時警告しきい値ＥＷ１以上であるかの判定がＮｏである場合（ステップＳ１８：Ｎｏ）、制御部３５は、複数のＬＥＤユニット２への電流供給を遮断し（ステップＳ１６）、報知ＬＥＤモジュール２８をオレンジ色に点灯させる（ステップＳ１７）。一方、測定値ＥＩが平時警告しきい値ＥＷ１以上であるかの判定がＹｅｓである場合（ステップＳ１８：Ｙｅｓ）、制御部３５は、複数のＬＥＤユニット２の点灯を継続させた状態で、ステップＳ１８を繰り返す。以上の処理が、主電源がＯＦＦとされるまで実行される。
【００５７】
次に、ＬＥＤ照明灯Ａ１の作用について説明する。
【００５８】
本実施形態によれば、ＬＥＤユニット２のいずれかが不点灯（導通不可）となった場合に、遮断手段としての制御部３５が定電流回路３４からの電力供給を遮断する。これにより、あるＬＥＤユニット２の導通不可によって他のＬＥＤユニット２に流れる電流が増加し、不点灯（導通不可）が連鎖的に生じることを抑制することができる。
【００５９】
図６に示すように、測定値ＥＩと寿命しきい値ＥＬとの比較の結果、ステップＳ１３がＮｏである場合、報知ＬＥＤモジュール２８が赤色点灯される。これにより、使用者は、ＬＥＤ照明灯Ａ１に交換寿命が到来した、あるいは近づいたことを認識することができる。図２に示すように、報知ＬＥＤモジュール２８は、ＬＥＤユニット２とは反対側に光を出射する。このため、ＬＥＤ照明灯Ａ１の使用時に、ＬＥＤユニット２からの光に赤色光などが混じることを回避するとともに、ＬＥＤユニット２からの光が及びにくい天上側に赤色光を出射し、使用者に適切に認識させることができる。
【００６０】
図６に示すように、測定値ＥＩと注意しきい値ＥＡとの比較の結果、ステップＳ１５がＮｏである場合、ＬＥＤユニット２への電流が遮断され（ステップＳ１６）、報知ＬＥＤモジュール２８がオレンジ色に点灯する（ステップＳ１７）。これは、使用者がＡ１を点灯させるものの、条件が揃えば、瞬時にＡ１が消灯され（あるいは点灯したと感じることなく）、報知ＬＥＤモジュール２８がオレンジ色に点灯する。これにより、使用者は、いずれかのＬＥＤユニット２が不点灯（導通不可）となり、このＬＥＤ照明灯Ａ１がこれ以上の使用に適さない状態であることを認識できる。なお、ステップＳ１５が点灯直後のみに実行されるため、ＬＥＤ照明灯Ａ１がいったん点灯し、ステップＳ１５：Ｙｅｓで点灯を継続した後は、ステップＳ１５：Ｎｏとなる状態となってもＬＥＤ照明灯Ａ１は、点灯し続ける。
【００６１】
一方、ステップＳ１８によって、ＬＥＤ照明灯Ａ１は、点灯している間常に、測定値ＥＩと平時警告しきい値ＥＷ１との比較がなされる。これは、たとえば、点灯開始後しばらくしてから１つのみのＬＥＤユニット２が不点灯となった状態は許容するものの、２つのＬＥＤユニット２が不点灯となったと判定される場合には、すべてのＬＥＤユニット２への電力を遮断し点灯を中止することを意味する。したがって、たとえある程度の時間点灯している状態であっても、それ以上の使用が許容されないほど、不点灯のＬＥＤユニット２の個数が増大した場合には、意図的にＬＥＤ照明灯Ａ１を全消灯とし、さらにＬＥＤユニット２の不点灯が連鎖して生じることを防止することができる。
【００６２】
内部用照度センサ４１が透光カバー５の内部を一端側の位置において測定する構成であることにより、複数のＬＥＤユニット２の点灯状態を適切に監視しつつ、複数のＬＥＤユニット２からの光を不当に遮ったりすることを回避することができる。透光カバー５の長手方向に対して直角であるセンサ基板４０に内部用照度センサ４１を搭載することは、内部用照度センサ４１を上述した配置とするのに都合がよい。また内部用照度センサ４１に報知ＬＥＤモジュール２８も合わせて搭載することにより、省スペース化を図ることができる。
【００６３】
図７〜図１１は、本発明の他の実施形態を示している。なお、これらの図において、上記実施形態と同一または類似の要素には、上記実施形態と同一の符号を付している。
【００６４】
図７は、本発明の第二実施形態に基づくＬＥＤ照明灯の点灯制御を示すフローチャートである。本実施形態のＡ２は、図１〜図５に示すＬＥＤ照明灯Ａ１と同様の機器構成とされており、点灯制御がＬＥＤ照明灯Ａ１との主な相違点である。以下に、図７を参照しつつ、ＬＥＤ照明灯Ａ２の点灯制御を説明する。
【００６５】
まず、天井の給電部にＬＥＤ照明灯Ａ２が取り付けられた状態で、たとえば使用者が主電源をＯＮすることにより、ＬＥＤ照明灯Ａ２への交流電力の供給が開始される（ステップＳ２０）。次いで、内部用照度センサ４１がＯＮとなり（ステップＳ２１）、複数のＬＥＤユニット２がＯＮとなる（ステップＳ２２）。本実施形態においては、図５に示すように、ＤＣ／ＤＣ変換回路３３からの直流電力が制御部３５を介して内部用照度センサ４１に供給されるが、これは一例であり、ＤＣ／ＤＣ変換回路３３から直接内部用照度センサ４１に供給されるなど別形態であってもよい。複数のＬＥＤユニット２には、定電流回路３４から定電流制御された直流電力が供給される。本実施形態においては、ＬＥＤチップ２２ａおよびＬＥＤチップ２３ａのそれぞれに供給される電流値が３８ｍＡ程度であり、１つのＬＥＤユニット２には、７６ｍＡ程度の電流が供給され、４つのＬＥＤユニット２には、３０４ｍＡ程度の電流が定電流制御されることにより供給される。
【００６６】
次いで、図７に示すように、制御部３５は、内部用照度センサ４１の測定値ＥＩと寿命しきい値ＥＬとを比較する（ステップＳ２３）。寿命しきい値ＥＬは、あらかじめ定められ、メモリ（図示略）などに記憶されたしきい値である。寿命しきい値ＥＬは、すべてのＬＥＤユニット２が導通不可とならずに点灯している状態で、たとえば経年変化などによって発光効率が低下した場合に、内部用照度センサ４１においてあるべき照度に対応する値が設定される。たとえば、製造直後のＬＥＤ照明灯Ａ２での内部用照度センサ４１による測定値ＥＩを１００％とした場合、寿命しきい値ＥＬは、８０％程度に設定される。この値は、後述する注意しきい値ＥＡよりも大である。
【００６７】
測定値ＥＩと寿命しきい値ＥＬとの比較、たとえば、測定値ＥＩが寿命しきい値ＥＬ以上であるかの判定がＮｏである場合（ステップＳ２３：Ｎｏ）、制御部３５は、報知ＬＥＤモジュール２８を赤色に点灯させ（ステップＳ２４）、ステップＳ２５に進む。一方、測定値ＥＩが寿命しきい値ＥＬ以上であるかの判定がＹｅｓである場合（ステップＳ２３：Ｙｅｓ）、報知ＬＥＤモジュール２８を点灯させることなく、ステップＳ２５に進む。本実施形態においては、ステップＳ２３は、ＬＥＤ照明灯Ａ２の点灯開始直後に１回のみ実行されるが、ステップＳ２３を適宜複数回実行してもよい。
【００６８】
次いで、制御部３５は、内部用照度センサ４１の測定値ＥＩと注意しきい値ＥＡとを比較する（ステップＳ２５）。注意しきい値ＥＡは、あらかじめ定められ、メモリ（図示略）などに記憶されたしきい値である。注意しきい値ＥＡは、所定個数のＬＥＤユニット２が導通不可となり不点灯となった場合に、内部用照度センサ４１においてあるべき照度に対応する値が設定される。たとえば、製造直後のＬＥＤ照明灯Ａ２での内部用照度センサ４１による測定値ＥＩを１００％とした場合、注意しきい値ＥＡは、１つのＬＥＤユニット２が不点灯となった場合に相当する７５％程度に設定される。この値は、寿命しきい値ＥＬよりも小である。
【００６９】
測定値ＥＩと注意しきい値ＥＡとの比較、たとえば、測定値ＥＩが注意しきい値ＥＡ以上であるかの判定がＮｏである場合（ステップＳ２５：Ｎｏ）、制御部３５は、複数のＬＥＤユニット２へ供給する電流を減少し（ステップＳ２６）、報知ＬＥＤモジュール２８をオレンジ色に点灯させる（ステップＳ２７）。注意しきい値ＥＡがＬＥＤユニット２が不点灯となった場合に相当する７５％程度に設定されている場合、ステップＳ２６において、制御部３５は、定電流回路３４に対して、定電流制御の設定値を、３／４倍程度とする指令を送る。これにより、複数の２に供給される電流値が３／４倍に減少する。一方、測定値ＥＩが注意しきい値ＥＡ以上であるかの判定がＹｅｓである場合（ステップＳ２５：Ｙｅｓ）、制御部３５は、複数のＬＥＤユニット２の点灯を継続させた状態で、ステップＳ２５を繰り返す。以上の処理が、主電源がＯＦＦとされるまで実行される。なお、ステップＳ２６で電流値を減少し、ステップＳ２７を実行した後に、ステップＳ２５を再び実行する構成であってもよい。ステップＳ２６を実行した後にステップＳ２５を実行するたびに、注意しきい値ＥＡを徐々に小さくすることが好ましい。また、再びステップＳ２６が実装される際には、さらに電流値を減少させることが好ましい。以上の処理が、主電源がＯＦＦとされるまで実行される。
【００７０】
本実施形態によれば、ステップＳ２５において測定値ＥＩが注意しきい値ＥＡよりも小であるなど、所定個数のＬＥＤユニット２が不点灯となったと判定される場合（ステップＳ２５：Ｎｏ）、制御部３５は、定電流回路３４の定電流制御の設定値を減少させる。これにより、いずれかのＬＥＤユニット２が不点灯（導通不可）であるものの、それ以外のＬＥＤユニット２に過大な電流が流れることを回避することができる。また、電流を減少した状態で複数のＬＥＤユニット２への電力供給を継続するため、たとえばＬＥＤ照明灯Ａ１と比べて、より長い期間、ＬＥＤ照明灯Ａ２の点灯状態を維持することができる。
【００７１】
図６に示すように、測定値ＥＩと寿命しきい値ＥＬとの比較の結果、ステップＳ１３がＮｏである場合、報知ＬＥＤモジュール２８が赤色点灯される。これにより、使用者は、ＬＥＤ照明灯Ａ１に交換寿命が到来した、あるいは近づいたことを認識することができる。図２に示すように、報知ＬＥＤモジュール２８は、ＬＥＤユニット２とは反対側に光を出射する。このため、ＬＥＤ照明灯Ａ１の使用時に、ＬＥＤユニット２からの光に赤色光などが混じることを回避するとともに、ＬＥＤユニット２からの光が及びにくい天上側に赤色光を出射し、使用者に適切に認識させることができる。
【００７２】
図６に示すように、測定値ＥＩと注意しきい値ＥＡとの比較の結果、ステップＳ１５がＮｏである場合、ＬＥＤユニット２への電流が遮断され（ステップＳ１６）、報知ＬＥＤモジュール２８がオレンジ色に点灯する（ステップＳ１７）。これは、使用者がＡ１を点灯させるものの、条件が揃えば、瞬時にＡ１が消灯され（あるいは点灯したと感じることなく）、報知ＬＥＤモジュール２８がオレンジ色に点灯する。これにより、使用者は、いずれかのＬＥＤユニット２が不点灯（導通不可）となり、このＬＥＤ照明灯Ａ１がこれ以上の使用に適さない状態であることを認識できる。なお、ステップＳ１５が点灯直後のみに実行されるため、ＬＥＤ照明灯Ａ１がいったん点灯し、ステップＳ１５：Ｙｅｓで点灯を継続した後は、ステップＳ１５：Ｎｏとなる状態となってもＬＥＤ照明灯Ａ１は、点灯し続ける。
【００７３】
一方、ステップＳ１８によって、ＬＥＤ照明灯Ａ１は、点灯している間常に、測定値ＥＩと平時警告しきい値ＥＷ１との比較がなされる。これは、たとえば、点灯開始後しばらくしてから１つのみのＬＥＤユニット２が不点灯となった状態は許容するものの、２つのＬＥＤユニット２が不点灯となったと判定される場合には、すべてのＬＥＤユニット２への電力を遮断し点灯を中止することを意味する。したがって、たとえある程度の時間点灯している状態であっても、それ以上の使用が許容されないほど、不点灯のＬＥＤユニット２の個数が増大した場合には、意図的にＬＥＤ照明灯Ａ１を全消灯とし、さらにＬＥＤユニット２の不点灯が連鎖して生じることを防止することができる。
【００７４】
内部用照度センサ４１が透光カバー５の内部を一端側の位置において測定する構成であることにより、複数のＬＥＤユニット２の点灯状態を適切に監視しつつ、複数のＬＥＤユニット２からの光を不当に遮ったりすることを回避することができる。透光カバー５の長手方向に対して直角であるセンサ基板４０に内部用照度センサ４１を搭載することは、内部用照度センサ４１を上述した配置とするのに都合がよい。また内部用照度センサ４１に報知ＬＥＤモジュール２８も合わせて搭載することにより、省スペース化を図ることができる。
【００７５】
図８および図９は、本発明の第三実施形態に基づくＬＥＤ照明灯を示している。本実施形態のＡ３は、外部用照度センサ４２をさらに備えている点が、上述したＬＥＤ照明灯Ａ１およびＬＥＤ照明灯Ａ２と異なっている。
【００７６】
図８に示すように、外部用照度センサ４２は、ＬＥＤ照明灯Ａ２外からの光を受けて、その位置における照度を計測するものとして設定されている。本実施形態においては、外部用照度センサ４２は、センサ基板４０のうち内部用照度センサ４１とは反対側の面に搭載されている。また、口金６には、外部用照度センサ４２へと外光を採光するための開口が設けられている。この開口は、複数のＬＥＤユニット２からの光が出射される側とは、反対側を向いている。図９に示すように、外部用照度センサ４２からの信号は制御部３５に入力する。
【００７７】
次に、ＬＥＤ照明灯Ａ３の点灯制御について、図１０を参照しつつ以下に説明する。
【００７８】
まず、天井の給電部にＬＥＤ照明灯Ａ３が取り付けられた状態で、たとえば使用者が主電源をＯＮすることにより、ＬＥＤ照明灯Ａ３への交流電力の供給が開始される（ステップＳ３００）。次いで、内部用照度センサ４１および外部用照度センサ４２がＯＮとなり（ステップＳ３０１）、複数のＬＥＤユニット２がＯＮとなる（ステップＳ３０２）。本実施形態においては、図９に示すように、ＤＣ／ＤＣ変換回路３３からの直流電力が制御部３５を介して内部用照度センサ４１および外部用照度センサ４２に供給されるが、これは一例であり、ＤＣ／ＤＣ変換回路３３から直接内部用照度センサ４１および外部用照度センサ４２に供給されるなど別形態であってもよい。複数のＬＥＤユニット２には、定電流回路３４から定電流制御された直流電力が供給される。本実施形態においては、ＬＥＤチップ２２ａおよびＬＥＤチップ２３ａのそれぞれに供給される電流値が３８ｍＡ程度であり、１つのＬＥＤユニット２には、７６ｍＡ程度の電流が供給され、４つのＬＥＤユニット２には、３０４ｍＡ程度の電流が定電流制御されることにより供給される。
【００７９】
次いで、図１０に示すように、制御部３５は、内部用照度センサ４１の測定値ＥＩと寿命しきい値ＥＬとを比較する（ステップＳ３０３）。寿命しきい値ＥＬは、あらかじめ定められ、メモリ（図示略）などに記憶されたしきい値である。寿命しきい値ＥＬは、すべてのＬＥＤユニット２が導通不可とならずに点灯している状態で、たとえば経年変化などによって発光効率が低下した場合に、内部用照度センサ４１においてあるべき照度に対応する値が設定される。たとえば、製造直後のＬＥＤ照明灯Ａ３での内部用照度センサ４１による測定値ＥＩを１００％とした場合、寿命しきい値ＥＬは、８０％程度に設定される。この値は、後述する注意しきい値ＥＡよりも大である。
【００８０】
測定値ＥＩと寿命しきい値ＥＬとの比較、たとえば、測定値ＥＩが寿命しきい値ＥＬ以上であるかの判定がＮｏである場合（ステップＳ３０３：Ｎｏ）、制御部３５は、報知ＬＥＤモジュール２８を赤色に点灯させ（ステップＳ３０４）、ステップＳ３０５に進む。一方、測定値ＥＩが寿命しきい値ＥＬ以上であるかの判定がＹｅｓである場合（ステップＳ３０３：Ｙｅｓ）、報知ＬＥＤモジュール２８を点灯させることなく、ステップＳ３０５に進む。本実施形態においては、ステップＳ３０３は、ＬＥＤ照明灯Ａ１の点灯開始直後に１回のみ実行されるが、ステップＳ３０３を適宜複数回実行してもよい。
【００８１】
次いで、制御部３５は、内部用照度センサ４１の測定値ＥＩと注意しきい値ＥＡとを比較する（ステップＳ３０５）。注意しきい値ＥＡは、あらかじめ定められ、メモリ（図示略）などに記憶されたしきい値である。注意しきい値ＥＡは、所定個数のＬＥＤユニット２が導通不可となり不点灯となった場合に、内部用照度センサ４１においてあるべき照度に対応する値が設定される。たとえば、製造直後のＬＥＤ照明灯Ａ３での内部用照度センサ４１による測定値ＥＩを１００％とした場合、注意しきい値ＥＡは、１つのＬＥＤユニット２が不点灯となった場合に相当する７５％程度に設定される。この値は、寿命しきい値ＥＬよりも小であり、後述する夜間警告しきい値ＥＷ２よりも大である。
【００８２】
測定値ＥＩと注意しきい値ＥＡとの比較、たとえば、測定値ＥＩが注意しきい値ＥＡ以上であるかの判定がＮｏである場合（ステップＳ３０５：Ｎｏ）、制御部３５は、複数のＬＥＤユニット２への電流供給を遮断し（ステップＳ３０６）、報知ＬＥＤモジュール２８をオレンジ色に点灯させる（ステップＳ３０７）。一方、測定値ＥＩが注意しきい値ＥＡ以上であるかの判定がＹｅｓである場合（ステップＳ３０５：Ｙｅｓ）、報知ＬＥＤモジュール２８の状態を維持したまま、ステップＳ３０８に進む。本実施形態においては、ステップＳ３０５は、ＬＥＤ照明灯Ａ１の点灯開始直後に１回のみ実行されるが、ステップＳ３０５を適宜複数回実行してもよい。
【００８３】
次いで、制御部３５は、外部用照度センサ４２の計測値ＥＯと昼夜しきい値ＥＤとを比較する（ステップＳ３０８）。昼夜しきい値ＥＤは、あらかじめ定められ、メモリ（図示略）などに記憶されたしきい値である。昼夜しきい値ＥＤは、ＬＥＤ照明灯Ａ３が設置された場所が昼間であるときに、外部用照度センサ４２においてあるべき照度に対応する値が設定される。計測値ＥＯと昼夜しきい値ＥＤとの比較、たとえば、計測値ＥＯが昼夜しきい値ＥＤ以上であるかの判定がＮｏである場合（ステップＳ３０８：Ｎｏ）、制御部３５は、ステップＳ３０９を実行する。
【００８４】
ステップＳ３０９においては、制御部３５は、内部用照度センサ４１の測定値ＥＩと平時警告しきい値ＥＷ１とを比較する（ステップＳ３０９）。平時警告しきい値ＥＷ１は、あらかじめ定められ、メモリ（図示略）などに記憶されたしきい値である。平時警告しきい値ＥＷ１は、昼間において所定個数のＬＥＤユニット２が導通不可となり不点灯となった場合に、内部用照度センサ４１においてあるべき照度に対応する値が設定される。ここでいう所定個数は、注意しきい値ＥＡを設定する際の所定個数よりも大であり、本実施形態においては、２個と想定される。そして、製造直後のＬＥＤ照明灯Ａ３での昼間における内部用照度センサ４１による測定値ＥＩを１００％とした場合、平時警告しきい値ＥＷ１は、２つのＬＥＤユニット２が不点灯となった場合に相当する５０％程度に設定される。
【００８５】
測定値ＥＩと平時警告しきい値ＥＷ１との比較、たとえば、測定値ＥＩが平時警告しきい値ＥＷ１以上であるかの判定がＮｏである場合（ステップＳ３０９：Ｎｏ）、制御部３５は、複数のＬＥＤユニット２への電流供給を遮断し（ステップＳ３１０）、報知ＬＥＤモジュール２８をオレンジ色に点灯させる（ステップＳ３１１）。一方、測定値ＥＩが平時警告しきい値ＥＷ１以上であるかの判定がＹｅｓである場合（ステップＳ１８３０９：Ｙｅｓ）、制御部３５は、複数のＬＥＤユニット２の点灯を継続させた状態で、ステップＳ３０８を繰り返す。
【００８６】
一方、ステップＳ３０８において計測値ＥＯと昼夜しきい値ＥＤとの比較、たとえば、計測値ＥＯが昼夜しきい値ＥＤ以上であるかの判定がＮｏである場合（ステップＳ３０８：Ｎｏ）、制御部３５は、ステップＳ３１２を実行する。
【００８７】
ステップＳ３１２においては、制御部３５は、内部用照度センサ４１の測定値ＥＩと夜間警告しきい値ＥＷ２とを比較する（ステップＳ３１２）。夜間警告しきい値ＥＷ２は、あらかじめ定められ、メモリ（図示略）などに記憶されたしきい値である。夜間警告しきい値ＥＷ２は、夜間において所定個数のＬＥＤユニット２が導通不可となり不点灯となった場合に、内部用照度センサ４１においてあるべき照度に対応する値が設定される。ここでいう所定個数は、注意しきい値ＥＡおよび平時警告しきい値ＥＷ１を設定する際の所定個数よりも大であり、本実施形態においては、３個と想定される。そして、製造直後のＬＥＤ照明灯Ａ３での夜間における内部用照度センサ４１による測定値ＥＩを１００％とした場合、夜間警告しきい値ＥＷ２は、２つのＬＥＤユニット２が不点灯となった場合に相当する２５％程度に設定される。
【００８８】
測定値ＥＩと夜間警告しきい値ＥＷ２との比較、たとえば、測定値ＥＩが夜間警告しきい値ＥＷ２以上であるかの判定がＮｏである場合（ステップＳ３１２：Ｎｏ）、制御部３５は、複数のＬＥＤユニット２への電流供給を遮断し（ステップＳ３１０）、報知ＬＥＤモジュール２８をオレンジ色に点灯させる（ステップＳ３１１）。一方、測定値ＥＩが夜間警告しきい値ＥＷ２以上であるかの判定がＹｅｓである場合（ステップＳ３１２：Ｙｅｓ）、制御部３５は、複数のＬＥＤユニット２の点灯を継続させた状態で、ステップＳ３１３を実行する。ステップＳ３１３においては、計測値ＥＯと昼夜しきい値ＥＤとを比較することにより、夜間であるか昼間であるかの判定を行う。計測値ＥＯと昼夜しきい値ＥＤとの比較、たとえば、計測値ＥＯが昼夜しきい値ＥＤ以下であるかの判定がＹｅｓである場合（ステップＳ３１３：Ｙｅｓ）、制御部３５は、ステップＳ３１２およびステップＳ３１３を繰り返す。一方、計測値ＥＯと昼夜しきい値ＥＤとの比較、たとえば、計測値ＥＯが昼夜しきい値ＥＤ以下であるかの判定がＮｏである場合（ステップＳ３１３：Ｎｏ）、制御部３５は、再びステップＳ３０８を実行する。以上の処理が、主電源がＯＦＦとされるまで実行される。
【００８９】
本実施形態によれば、ステップＳ３０８において昼間か夜間であるかの判定を行い、夜間である場合には（ステップＳ３０８：Ｙｅｓ）、昼間である場合（ステップＳ３０８：Ｎｏ）よりも、許容する不点灯のＬＥＤユニット２の個数が増大することとなる。これにより、周囲が暗い夜間において、いずれかのＬＥＤユニット２が不点灯であるものの、いまだ、ある程度の光度で点灯可能なＬＥＤ照明灯Ａ３を点灯させ続けることができる。したがって、夜間に意図せずＬＥＤ照明灯Ａ３が突然消灯してしまう頻度を減らすことができる。
【００９０】
図１１は、本発明の第四実施形態に基づくＬＥＤ照明灯を示している。本実施形態のＬＥＤ照明灯Ａ４は、本発明で言う遮断手段の一例として、複数のヒューズ４３を備えている。
【００９１】
ヒューズ４３は、定格遮断電流Ｉｃ以上の電流が流れると、瞬時に通電を遮断する素子である。本実施形態においては、いわゆる面実装型のヒューズ４３が用いられており、各ＬＥＤユニット２のＬＥＤ基板２１に１つのヒューズ４３が搭載されている。ＬＥＤユニット２に含まれる複数のＬＥＤチップ２２ａおよび複数のＬＥＤチップ２３ａとヒューズ４３とは、直列に接続されている。
【００９２】
各ＬＥＤユニット２を発光させる定格電流をＩｒ、複数のＬＥＤユニット２の個数をｎとした場合、ヒューズ４３の定格遮断電流Ｉｃは、Ｉｒ＜Ｉｃ＜Ｉｒ（ｎ／（ｎ−ｍ））（ただし、ｍは、１≦ｍ＜ｎの整数）とされる。たとえば、本実施形態においては、ｎ＝４であり、定格電流Ｉｒは１５２ｍＡである。ｍ＝１とした場合、１５２ｍＡ＜Ｉｃ＜２０３ｍＡとされる。整数ｍは、許容されない不点灯となったＬＥＤユニット２の個数である。すなわち、定格遮断電流Ｉｃが上述した数値範囲にある場合、１つのＬＥＤユニット２が導通不可となり不点灯となると、通電しているＬＥＤユニット２のヒューズ４３が通電を遮断する。整数ｍを適宜設定することにより、ヒューズ４３の遮断タイミングを調節することができる。
【００９３】
本実施形態によれば、より簡易な構成で、ＬＥＤユニット２の不点灯が連鎖的に生じることを防止することができる。
【００９４】
本発明に係るＬＥＤ照明灯は、上述した実施形態に限定されるものではない。本発明に係るＬＥＤ照明灯の各部の具体的な構成は、種々に設計変更自在である。
【符号の説明】
【００９５】
Ａ１〜Ａ４      ＬＥＤ照明灯
１      支持部材
２      ＬＥＤユニット
２１      ＬＥＤ基板
２２      ＬＥＤモジュール
２２ａ      ＬＥＤチップ
２２ｂ      リード
２２ｃ      ケース
２２ｄ      封止樹脂
２３      ＬＥＤモジュール
２３ａ      ＬＥＤチップ
２８      報知ＬＥＤモジュール
３      電源部
３１      ＥＭＣ対策回路
３２      ＡＣ／ＤＣ変換回路
３３      ＤＣ／ＤＣ変換回路
３４      定電流回路
３５      制御部
４０      センサ基板
４１      内部用照度センサ
４２      外部用照度センサ
４３      ヒューズ
５      透光カバー
６      口金
ＥＩ      測定値
ＥＬ      寿命しきい値
ＥＡ      注意しきい値
ＥＷ１      平時警告しきい値
ＥＷ２      夜間警告しきい値
ＥＯ      計測値
ＥＤ      昼夜しきい値
Ｉｃ      定格遮断電流
Ｉｒ      定格電流
【図１】
2015076265.tif 000003
【図２】
2015076265.tif 000004
【図３】
2015076265.tif 000005
【図４】
2015076265.tif 000006
【図５】
2015076265.tif 000007
【図６】
2015076265.tif 000008
【図７】
2015076265.tif 000009
【図８】
2015076265.tif 000010
【図９】
2015076265.tif 000011
【図１０】
2015076265.tif 000012
【図１１】
2015076265.tif 000013